(57)【要約】【課題】対流用空気が対流用フィルターを通らずに温風暖房機内に流入するのを軽減し、ほこり等が温風暖房機内に入るのを少なくし、安全に使用可能な温風暖房機に関する。【解決手段】本体ケース２０の背面板２１における空気吸込み口６を設けた部分を窪ませて凹状取付け部２３を形成し、この凹状取付け部に対流用フィルター８の枠８ｂを密接して嵌合せしめ着脱自在に取付けたもので、対流用フィルターの枠と背面板の凹状取付け部２３とは二面２４、２５で接触して両者間にできる隙間Ａの通路抵抗を大きくし、対流用空気７の対流用フィルター８の枠外周からのほこりの流入が軽減され、対流用フィルターを通らずにほこり等の本体ケース内への侵入を少なくでき、安定した燃焼で温風暖房機を使用できる。【選択図】  図１
2004162938.tif 000002
【特許請求の範囲】
【請求項１】
空気吸込み口及び温風吹出し口を有する本体ケース内に、前記空気吸込み口から空気を得て燃料を燃焼させるバーナを収めた燃焼室と、前記空気吸込み口から吸込んだ空気を前記バーナによる燃焼熱で加熱し、前記温風吹出し口から排出させる対流用ファンと、前記本体ケースの背面板に着脱自在に設け、前記空気吸込み口から流入する温風用及び燃焼用の空気を濾過する網目状のフィルタを枠に設けた対流用フィルターと、前記燃焼室の温度変化を検出する温度検出手段と、前記温度検出手段より検出温度を取込んで燃焼量を制御する制御手段とを備え、前記対流用フィルターは枠を、前記本体ケースの背面板を窪ませて形成した凹状取付け部に密接させて嵌合してなる温風暖房機。
【請求項２】
対流用フィルターは、その枠を磁性体で形成し、前記磁性体の磁性力で枠を凹状取付け部に嵌合させてなる請求項１記載の温風暖房機。
【請求項３】
空気吸込み口及び凹状取付け部を有する部分の背面板は、本体ケースの背面板と分離して形成し、ねじ等の複数の取付け具で前記本体ケースの背面板の開口部に着脱自在に取付けてなる請求項１または請求項２記載の温風暖房機。
【請求項４】
制御手段は、予め設定温度を格納し、温度検出手段の検出温度を設定温度と比較し、前記検出温度が前記設定温度より高くなった場合に燃焼量を弱めるとともに、対流用フィルターの目詰まりを警告し、かつ機器の運転を停止せしめ、前記運転停止後に再び機器を運転して所定の時間内に再度、前記温度検出手段が設定温度より高い温度を検出した場合は、機器の運転を停止させる構成にした請求項１〜請求項３のいずれかに記載の温風暖房機。
【発明の詳細な説明】
【０００１】
【発明の属する技術分野】
本発明は、ガス、石油を燃料とする温風暖房機に関するものである。
【０００２】
【従来の技術】
従来の温風暖房機の構成を図５に示す。空気を得てガスを燃焼させるバーナ１は、燃焼室２内に収容している。燃焼室２はバーナ１の燃焼により発生した燃焼排ガス１１と外部から流入した空気を混合する。対流用ファン４は、バーナ１の下方に位置し、空気吸込み口６から対流用となる外部の空気７を一部燃焼用の空気として吸引し、バーナ１の燃焼排ガス１１と混合した対流用空気７ａを温風吹出し口５から温風３として送り出すものである。
【０００３】
温風吹出し口５は本体ケース２０の前面下部に設け、空気吸込み口６は本体ケース２０の背面板２１の燃焼室２に対向した部分に多数の孔を四角形状に配列した構成にしている。対流用フィルター８は、網目状のフィルター８ａと四角形状の枠８ｂで構成し、空気吸込み口６に対向して本体ケース２０の背面板２１に枠８ｂの一平面だけ接触させた形態で取付け、空気吸込み口６より流入する対流用空気７に混入している、ほこり等を濾過する。そして、対流用フィルター８は枠８ｂの上端に爪部８ｃと取っ手８ｄを設け、取っ手８ｄを手で持って斜め上方から背面板２１に設けた取付け孔２２に爪部８ｃを差し込んで取付け孔２２の縁を爪部８ｃと枠８ｂで挟み込み、かつ爪部８ｃの材料がもつ弾性力も加わった形態で取付けている。
【０００４】
サーミスタ等の温度検出手段９は、燃焼室２の上部に位置して燃焼室の温度変化を検出する。制御手段１０は温度検出手段９の出力を取り込むとともに、温風暖房機の運転、停止以外に、機器がもつ各種の機能を制御するものである。図中、１２は温風吹出し口５に温風を案内する風路である。
【０００５】
次にその動作について説明する。対流用ファン４を駆動し、バーナ１でガスを燃焼させ、発生する高温の燃焼排ガス１１と、対流用ファン４により対流用フィルター８を通過して空気吸込み口６より流入した対流用空気７が風路１２で燃焼排ガス１１と混合される。混合された対流用空気７ａは、風路１２を経て対流用ファン４により温風吹出し口５から温風３となって送り出され、室内を対流暖房する。
【０００６】
そして、温風暖房機の使用を繰り返すうちに、対流用フィルター８にほこり等が堆積し、空気吸込み口６から正常な燃焼に必要な空気の量が確保できなくなると、燃焼室２の温度上昇が激しくなり、この温度変化を温度検出手段９が検出し制御手段１０に伝える。そして、温度検出手段９から検出温度の信号を取り込んだ制御手段１０は、バーナ１の燃焼量を弱めたり、燃焼を停止させたりする。
【０００７】
このような状態においては、フィルター８ａに付着したほこりを除去して対流用フィルター８を掃除すると温風暖房機は再度運転可能な状態になる。
【０００８】
一方、空気吸込み口６は、その役目から本体ケース２０の背面板２１における略半分位の面積にわたる比較的に大きな範囲にわたるものであり、これに対向する対流用フィルター８は枠８ａを含めてさらに大きな形になっている。そして、フィルター８ａを取付けた合成樹脂または金属の板の枠８ａは、製造上からどうしても、背面板２１と平面接触する一つの平面が平らな面一にならず歪んでしまうとともに、一面だけで背面板２１と面接触する構造である。
【０００９】
従って、対流用フィルター８の枠８ａと背面板２１との間には、枠８ａの全周の所々にどうしても隙間Ａが生じてしまう。そして、掃除のため対流用フィルター８の着脱を多く繰り返しているうちに、隙間Ａが大きくなったり、その箇所が多くなったりする傾向にある。その結果、一面だけで背面板２１と面接触している対流用フィルター８の枠８ａと背面板２１の間にできた隙間Ａは、通路抵抗が小さいのでほこり等が入り易い状態になり、長期の使用においては対流用フィルターを掃除すればするほど、隙間Ａを通じてほこり等は燃焼室内部に入り込むという状態になっている。
【００１０】
そして、燃焼室２内部に入り込んだほこり等の影響で温度検出手段９の検出温度が異常に高くなり、対流用フィルター８の掃除だけではなく、燃焼室２内部のほこり等の除去をしなければ正常な燃焼が得られず、部屋が暖まらないという現象につながる。燃焼室２の清掃は、対流用フィルター８の掃除ができても、背面板２１を含む本機器の組立順序と反対の順序で全体を分解しない限り行なえないもので、使用者にはできない構造であった。
【００１１】
【発明が解決しようとする課題】
上記従来の技術の問題点に鑑み、本発明が解決しようとする課題は、対流用空気が対流用フィルターを通らずに機器内に流入するのを軽減し、対流用空気中のほこり等が機器内に流入するのを少なくして、安全に使用可能な温風暖房機を提供することにある。
【００１２】
【課題を解決するための手段】
上記目的を達成するために本発明は、本体ケースの背面板における空気吸込み口を設けた部分を窪ませて凹状取付け部を形成し、この凹状取付け部に対流用フィルターの枠を密接して嵌合せしめ着脱自在に取付けたもので、対流用フィルターの枠とこれに接する背面板の凹状取付け部との間の通路抵抗を大きくしてほこり等の侵入を軽減し、安定した燃焼が得られて安全に温風暖房機を使用できるようにするものである。
【００１３】
【発明の実施の形態】
上記した本発明の目的は、各請求項に記載した構成を実施の形態とすることにより達成できるので、以下には各請求項の構成にその構成による作用効果を併記し併せて請求項記載の構成のうち説明を必要とする特定用語については詳細な説明を加えて、本発明における実施の形態の説明とする。
【００１４】
本発明の請求項１記載に係る温風暖房機は、空気吸込み口及び温風吹出し口を有する本体ケース内に、前記空気吸込み口から空気を得て燃料を燃焼させるバーナを収めた燃焼室と、前記空気吸込み口から吸い込んだ空気を前記バーナによる燃焼熱で加熱し、前記温風吹出し口から排出させる対流用ファンと、前記本体ケースの背面板に着脱自在に設け、前記空気吸込み口から流入する温風用及び燃焼用の空気を濾過する網目状のフィルタを枠に設けた対流用フィルターと、前記燃焼室の温度変化を検出する温度検出手段と、前記温度検出手段より検出温度を取込んで燃焼量を制御する制御手段とを備え、前記対流用フィルターは枠を、前記本体ケースの背面板を窪ませて形成した凹状取付け部に密接させて嵌合させたものである。
【００１５】
上記実施の形態によれば、本体ケースの背面板に設けた凹状取付け部は、対流用フィルタの外周と二面で接触することになり、対流用ファンの回転により流入しようとする空気に対する対流用フィルターの外周と背面板の凹状取付け部との間の隙間の通路抵抗（吸込み抵抗）が大きくなり、ほこり等の侵入が少なくなる。
【００１６】
本発明の請求項２記載に係る温風暖房機は、請求項１記載のものにあって、対流用フィルターは、その枠を磁性体で形成し、磁性体の磁性力で枠を凹状取付け部に取付けたものである。
【００１７】
上記実施の形態によれば、網目状の対流用フィルターはその周囲の枠が磁性を有した板金、または磁性を有した別部材を貼り付ける等で形成し、板金で形成された本体ケースの背面板の凹状取付け部に、磁性力で対流用フィルターの枠の周囲全体を密接させ、かつ取付けも兼ねることができる。そして、対流用フィルターの枠と背面板の凹状取付け部との隙間の吸込み抵抗がさらに大きくなり、ほこり等の侵入をより防ぐことができる。
【００１８】
本発明の請求項３記載に係る温風暖房機は、請求項１または請求項２記載のものにあって、空気吸込み口及び凹状取付け部を有する部分の背面板は、本体ケースの背面板と分離して形成し、ねじ等の複数の取付け具で前記本体ケースの背面板の開口部に着脱自在に取付けたものである。
【００１９】
上記実施の形態によれば、空気吸込み口及び凹状取付け部を有する部分の背面板は、本体ケースの背面板とは分離され、この分離により本体ケースの背面板にできた開口部の縁にねじ等により着脱自在に取付ける。そして、対流用フィルターは背面板の凹状取付け部から着脱して目詰まりを清掃可能で、さらに空気吸込み口及び凹状取付け部を有する部分の背面板も、ねじ等により本体ケースにおける背面板の開口部の縁から着脱して、開口部より本体ケース内の燃焼室の掃除を行うことが可能になる。
【００２０】
本発明の請求項４記載に係る温風暖房機は、請求項１から請求項３のいずれかの記載のものにあって制御手段を、温度検出手段が予め設定された温度より高い温度を検出した場合に、燃焼量を弱めるとともに、対流用フィルターの目詰まりを警告し、かつ機器の運転を停止せしめ、前記運転停止後に再び機器を運転して所定の時間内に再度、温度検出手段が設定温度より高い温度を検出した場合は、機器の運転を停止させる構成にしたものである。
【００２１】
上記実施の形態によれば、制御手段は温度検出手段より取り込んだ検出温度が予め設定された温度より高くなった場合に、バーナの燃焼量を弱めるとともに、対流用フィルターの目詰まりを例えば表示ランプを点滅して警告し、かつ機器の運転停止を行った後、再び機器を運転した時に、所定の時間内に再度、温度検出手段の検出した温度が予め設定された温度より高くなった場合は、バーナの燃焼を停止させる。
【００２２】
従って、複数回の燃焼停止による緊迫感を持った警告により使用者にいち早く異常を知らせるとともに、むやみに燃焼を継続させることなく機器の運転を停止させ、燃焼室へほこり等をできる限り侵入させないようにする。
【００２３】
【実施例】
以下、本発明の実施例について図面を用いて説明する。
【００２４】
（実施例１）
図１は本発明のガス温風暖房機を示す縦断面図で、従来の技術と同一構成並びに作用効果を奏するところには同じ符号を付している。バーナ１は、燃焼室２内に収容している。燃焼室２はバーナ１の燃焼により発生した燃焼排ガス１１と外部から流入した空気を混合する。対流用ファン４は、バーナ１の下方に位置し、空気吸込み口６から対流用となる外部の対流用空気７を一部燃焼用の空気として吸引し、バーナ１の燃焼排ガス１１と混合した対流用空気７ａを温風吹出し口５から温風３として送り出すものである。
【００２５】
温風吹出し口５は本体ケース２０の前面下部に設け、空気吸込み口６は本体ケース２０の背面板２１の燃焼室２に対向した部分に多数の孔６ａを四角形状に配列したところの、本体ケース２０の背面板２１における略半分位の面積にわたる比較的に大きな範囲の構成にしている。
【００２６】
対流用フィルター８は、合成樹脂の網目状のフィルター８ａと合成樹脂または金属板等で形成した四角形状の枠８ｂで構成し、空気吸込み口６に対向して本体ケース２０の背面板２１の空気吸込み口６の外周に設けた凹状取付け部２３に着脱自在に取付け、空気吸込み口６より本体ケース２０内の燃焼室２等に流入する対流用空気７に混入している、ほこり等を濾過する。
【００２７】
そして、対流用フィルター８は枠８ｂの上端に爪部８ｃと取っ手８ｄを設け、取っ手８ｄを手で持って斜め上方から背面板２１に設けた取付け孔２２に爪部８ｃを差し込んで取付け孔２２の縁を爪部８ｃと枠８ｂで挟み込み、かつ爪部８ｃの材料がもつ弾性力も加わった形態で着脱自在に取付けている。また、対流用フィルター８は、空気吸込み口６及び凹状取付け部２３に対向する比較的に大きな四角形状に形成しているとともに、着脱の際に凹状取付け部２３の内面との接触を円滑にするため、枠８ｂの上端角２６を円弧状に形成している。
【００２８】
凹状取付け部２３は、本体ケース２０の背面板２１における空気吸込み口６のある区域全体を本体ケース２０内に窪ませた（段押し状態にプレスする）構成にしてあり、この凹状取付け部２３に対流用フィルター８がぴったり嵌り込んで二面２４、２５で対流用フィルター８の枠８ｂと凹状取付け部２３が互いに接触し、隙間Ａの通路抵抗（空気吸込み抵抗）が大きくなるように構成している。
【００２９】
サーミスタ等の温度検出手段９は、燃焼室２の上部に位置して燃焼室の温度変化を検出する。制御手段１０は温風暖房機の運転、停止以外に、機器がもつ各種の機能を制御するもので、特に予め設定温度を格納しており、温度検出手段９の検出温度を取り込んで比較し、設定温度より高くなると、バーナ１の燃焼量を弱めたり、または停止させる制御シーケンスを備えている。図中、１２は温風吹出し口５に温風を案内する風路である。
【００３０】
上記実施例において、対流用ファン４を駆動し、バーナ１でガスを燃焼させ、発生する高温の燃焼排ガス１１と、対流用ファン４により対流用フィルター８を通過して空気吸込み口６より流入した対流用空気７が風路１２で燃焼排ガス１１と混合される。混合された対流用空気７ａは、風路１２を経て対流用ファン４により温風吹出し口５から温風３となって送り出され、室内を対流暖房する。
【００３１】
そして、温風暖房機の使用を繰り返すうちに、対流用フィルター８にほこり等が堆積し、空気吸込み口６から正常な燃焼に必要な空気の量が確保できなくなると、バーナ１の燃焼が不安定になり燃焼室２の温度上昇が激しくなり、この温度変化を温度検出手段９が検出し制御手段１０に伝える。温度検出手段９から検出温度の信号を取り込んだ制御手段１０は、バーナ１の燃焼量を弱めたり、燃焼を停止させたりする。
【００３２】
このような状態においては、対流用フィルター８の取っ手８ｄを手で持って後方へ引くことで爪部８ｃ自身がもつ弾性力に抗して爪部８ｃが変形しながら取付け孔２から外れ、対流用フィルター８を凹状取付け部２３から取り外してフィルター８ａに付着したほこりを除去する。そして、清掃した対流用フィルター８を前記した順序とは逆の順序で凹状取付け部２３に取付けてガス温風暖房機を再度運転可能な状態にできる。
【００３３】
特に本実施例のガス温風暖房機では、対流用フィルター８を本体ケース２０の背面板２１の凹状取付け部２３に密接して嵌合しているので、対流用フィルター８の枠８ｂと凹状取付け部２３とは、図１のＰ部分の拡大図に示すように二面２４、２５で接触することになり、隙間Ａの通路抵抗が大きくなる。
【００３４】
そして、対流用フィルター８の枠８ｂに、どうしても製造上において多少の歪ができたり、対流用フィルター８の清掃時における着脱で枠８ｂに多少の変形が生じても、前記したように隙間Ａの通路抵抗が大きいから、対流用ファン４の回転による吸引作用で対流用空気７がフィルター８ａ以外の対流用フィルター８の枠８ｂと凹状取付け部２３と接している隙間Ａから流入するのを軽減できる。
【００３５】
従って、ガス温風暖房機の長期の運転においても、対流用フィルター８のフイルター８ａ以外のところからの対流用空気７の本体ケース２０内への流入が従来のものより少なくでき、対流用フィルター８の効率が高まるのはもちろん、対流用フィルター８の目詰まりの清掃さえ適切に行えば安定した燃焼が得られ、長期にわたり安全に機具を使用することができる。
【００３６】
また、対流用フィルター８は枠８ｂの歪を、高い精度で管理する必要がなくなり、通常の方法で製造でき生産性が向上する。さらに、対流用フィルター８は枠８ｂの上端角２６を円弧状に形成しているので、着脱の際に凹状取付け部２３の内面との接触が円滑になり、着脱操作を容易に行うことができる。
【００３７】
（実施例２）
図２は本発明の実施例２におけるガス温風暖房機を示す縦断面図である。本実施例は、対流用フィルター８の本体ケースへの取付けを磁性力により行うようにした点で実施例１の発明と異なり、それ以外の同一構成並びに作用効果を奏する部分には図１と同一符号を付して詳細な説明を省略し、異なるところを中心に説明する。
【００３８】
対流用フィルター８の周囲の枠８ｂは磁性を有した板金、または別部材の磁性体２７を接着して形成し、図１に示す爪部８ｃは設けていない。また、対流用フィルター８の枠８ｂが嵌合する凹状取付け部２３を形成している本体ケース２０の背面板２１、枠８ｂが磁性力で吸着し取付けられるように板金で形成してあるとともに、図１に示す取付け孔２２を凹状取付け部２３に設けていない。
【００３９】
上記実施例において、対流用フィルター８は枠８ｂを凹状取付け部２３に嵌合すると、磁性体２７の磁性力で凹状取付け部２３に吸着する。そして、枠８ｂは磁性力で全周が、図１に示す爪部８ｃにより凹状取付け部２３に取付けている場合よりも密接に嵌合されるため、対流用フィルター８の周囲からの吸込み抵抗（隙間Ａの通路抵抗）がさらに大きくなり、フィルター８ａ以外の所からの本体ケース２０内へのほこり等の侵入がさらに軽減することができる。従って、対流用フィルター８の目詰まりの清掃さえ適切に行えば、さらに長期にわたって安定した燃焼が得られ安全に機器を使用することができる。
【００４０】
なお、上記実施例で対流用フィルター８の磁性体２７は枠８ｂに接着したが、枠８ｂを磁性体で形成してもよいものである。
【００４１】
（実施例３）
図３は本発明の実施例３におけるガス温風暖房機を示す断面分解図である。本実施例は、対流用フィルターの着脱だけでなく、対流用フィルターを取付けている凹状取付け部を形成した部分の背面板も、本体ケースの背面板から着脱できる構造にした点で、実施例１〜２の発明と異なり、それ以外の同一構成並びに作用効果を奏する部分には図１と同一符号を付して詳細な説明を省略し、異なるところを中心に説明する。
【００４２】
図３において、本体ケース２０の背面板２１における空気吸込み口６及び凹状取付け部２３を形成している区域に相当する背面板２１ａは、前記の背面板２１と分離して別体に形成し、かつ外周部にねじ等の取付け具１３が通る孔２８を複数設けている。
【００４３】
一方、本体ケース２０の背面板２１には、前記背面板２１ａの凹状取付け部２３の外周面が嵌合できる開口部２９を形成し、かつ前記背面板２１ａを取付ける取付け具１３が締結できる孔３０を形成している。開口部２９は本体ケース２０内の燃焼室２の背面及び側面が臨め、燃焼室２に付着したほこり等を除去できる程度の大きさである。
【００４４】
制御手段１０は、予め設定温度を格納しており、温度検出手段９の検出温度を取込んで比較し、設定温度より温度検出手段９の検出温度が高くなると、バーナ１の燃焼を停止させる制御シーケンスを備えている。
【００４５】
上記実施例において、空気吸込み口６及び凹状取付け部２３を有する背面板２１ａは、本体ケース２０の背面板２１と分離されており、凹状取付け部２３を背面板２１の開口部２９に嵌合させ、取付け具１３を孔２８に通して背面板２１の孔３０に締結して着脱自在に取付けている。そして、対流用フィルター８は実施例１と同様にして凹状取付け部２３に着脱自在に取付けている。
【００４６】
このような構成のガス温風暖房機の使用において、対流用フィルター８の外周と背面板２１ａの凹状取付け部２３との接する隙間は実施例１と同様に吸込み空気抵抗が大きいので、対流用空気７の大半がフィルター８ａを通り、対流用空気７中のほこりが濾過される。
【００４７】
しかし、対流用空気７はガス温風暖房機の使用当初において、対流用フィルター８の外周と背面板２１ａの凹状取付け部２３との接する隙間から僅かではあるが流入して、それに含まれるほこり等が燃焼室２内に入り、また使用期間が長くなるにしたがい前記隙間にほこりが溜まり始めて抵抗になり、その後の対流用空気７の流入は止まってしまうことが考えられるが、目詰まりした対流用フィルター８の清掃を行いながら長期に使用する間には、機器内へ入り込んだほこりが燃焼室２に付着し堆積する。そして、燃焼室２が異常温度になり、これを検出した温度検出手段９の出力信号で制御手段１０はバーナ１の燃焼を停止する。このようになると、対流用フィルター８の清掃だけではなく、燃焼室２に付着したほこり等も除去しないと正常な燃焼が確保できなくなる。
【００４８】
然るに本実施例では、取付け具１３により背面板２１ａを、本体ケース２０の背面板２１の開口部２９から取外すと、開口部２９が開放され燃焼室２が見え、そして開口部２９を介して掃除可能な燃焼室２の部分に付着している、ほこりを広い開口部２９より容易に取除くことができる。その後は、再び対流用フィルター８を取付けたままの背面板２１ａを、取付け具１３で開口部２９を有する背面板２１に取付け、再びガス温風暖房機を使用可能状態にする。
【００４９】
従って、長期の使用においても安定した燃焼が得られ、ガス温風暖房機を安全に使用することができる。また、燃焼室２の清掃の際に、対流用フィルター８を取外すことなく背面板２１ａのみを着脱できるので、着脱作業が容易になり便利であるとともに、ほこりの除去作業も広い開口部２９から行うので、容易にできる。
【００５０】
なお、上記実施例では背面板２１ａの取付け具１３としてねじを使用しているが、これに限定されるものではない。
【００５１】
（実施例４）
図４は本発明の実施例４におけるガス温風暖房機の制御フローである。本実施例は、ガス温風暖房機の制御手段の制御フローを改良した点で、実施例１〜３の発明と異なり、それ以外の同一構成並びに作用効果を奏する部分には図１と同一符号を付して詳細な説明を省略し、異なるところを中心に図１及び図４を用いて説明する。
【００５２】
制御手段１０はマイクロコンピュータ及びその周辺回路から構成され、記憶部（図示せず）に予め設定温度を格納しており、温度検出手段９の検出温度を取り込んで設定温度と比較し、検出温度が設定温度より高くなった場合に、バーナ１の燃焼量を弱めるとともに、対流用フィルター８の目詰まりを警告し、かつ機器の運転を停止せしめ、前記運転停止後に再び機器を運転して所定の時間内に再度、温度検出手段１０が設定温度より高い温度を検出した場合は、機器の運転を停止させる構成にしたもので、図４に示す制御フローを実行する制御シーケンスを備えている。
【００５３】
上記実施例において、制御手段１０は図４に示すステップ（以下、Ｓと云う）１〜Ｓ１１の制御フローを実行する。すなわち、Ｓ１でガス温風暖房機（以下、機器と云う）を運転するとＳ２でバーナ１が燃焼し、Ｓ３で温度検出手段９の検出温度と制御手段１０が格納している設定温度と比較し、検出温度が低ければ前記比較が繰り返され燃焼が続けられるが、燃焼室２内に付着したほこりの影響や対流用フィルター８の目詰まり等で検出温度が高くなるとＳ４に進む。そしてＳ４でバーナ１の燃焼量を弱めると同時に対流用フィルター８の目詰まり表示ランプを点滅させる。そして、Ｓ５で機器の運転を停止し、Ｓ６で燃焼停止後、Ｓ７で再び機器を運転し、Ｓ８で燃焼が開始した時、Ｓ９で温度検出手段９の検出温度が設定温度より高くなった場合に、Ｓ１０で前回の運転停止による燃焼停止後、所定の時間内に温度検出手段９の検出温度が設定温度より高くなったのかどうかを判定し、そうであればＳ１１で機器の運転を再び停止させるのである。
【００５４】
このように本実施例では、前回の運転停止による燃焼停止後における所定の時間内に再び機器の運転を停止させることで、むやみに燃焼を継続させることなく対流用フィルター８の目詰まりによる警告だけでなく、複数回の燃焼停止による緊迫感の伴う警告で対流用フィルター８の清掃を使用者に促すことができ、対流用フィルター８の確実な清掃を期待でき、その結果として安全にガス温風暖房機を使用することができる。
【００５５】
なお、上記の各実施例の温風暖房機ではガスを燃料とするものであるが、石油を燃料とする温風暖房機にも適用できるものである。
【００５６】
【発明の効果】
以上のように本発明によれば、対流用フィルターの枠の外周からの本体ケース内へのほこりの侵入を軽減でき、安定した燃焼が得られ安全に温風暖房機を使用することができる。
【図面の簡単な説明】
【図１】本発明の実施例１及び実施例４におけるガス温風暖房機の縦断面図
【図２】同実施例２におけるガス温風暖房機の縦断面図
【図３】同実施例３におけるガス温風暖房機の断面分解図
【図４】同実施例４における温風暖房機の制御のフローチャート
【図５】従来の温風暖房機の縦断面図
【符号の説明】
１  バーナ
２  燃焼室
４  対流用ファン
５  温風吹出し口
６  空気吸込み口
８  対流用フィルター
８ａ  フィルター
８ｂ  枠
９  温度検出手段
１０  制御手段
２０  本体ケース
２１、２１ａ  背面板
２３  凹状取付け部
２７  磁性体
２９  開口部
【図１】
2004162938.tif 000003
【図２】
2004162938.tif 000004
【図３】
2004162938.tif 000005
【図４】
2004162938.tif 000006
【図５】
2004162938.tif 000007